(57)【要約】      （修正有）【課題】視認性、通風性の向上と、塵埃等の飛散、落下抑制の両立を図ることができる養生シートを提供する。【解決手段】建築工事又は土木工事を行う際に用いる養生シート１であって、経糸３ａと緯糸３ｂにより織った織物で構成され、その経糸３ａ又は緯糸３ｂの一方に、その径３ｂが、他方の径３ａよりも太いものを用い、前記一方の糸３ｂの相互の間隔Ｌ２を他方の糸３ａの相互の間隔Ｌ１よりも広くしたことを特徴とする。【選択図】図３
0003197400.tif 000002
【実用新案登録請求の範囲】
【請求項１】
建築工事又は土木工事を行う際に用いる養生シートであって、
経糸と緯糸により織った織物で構成され、その経糸又は緯糸の一方に、その径が、他方の径よりも太いものを用い、前記一方の糸の相互の間隔を他方の糸の相互の間隔よりも広くしたことを特徴とする養生シート。
【請求項２】
前記他方の糸に撚りをかけたことを特徴とする請求項１記載の養生シート。
【考案の詳細な説明】
【技術分野】
【０００１】
本考案は、養生シートに関するもので、より詳しくは、建築工事又は土木工事を行う際に、建物等の外側に張設して、建築部材、工具、塵埃等が外部に飛散したり落下したりすること等を防止するために用いる養生シートである。
【背景技術】
【０００２】
従来、建築工事又は土木工事を行う際に用いる養生シートとして、図５に示すように、養生シート１００を構成する経糸１０１と緯糸１０２の太さが同じであるとともに、経糸相互間の間隔と、緯糸相互間の間隔が同じで、開口部１０３が正方形状に形成された養生シート１００が知られている。
【考案の概要】
【考案が解決しようとする課題】
【０００３】
しかし、前記従来の養生シート１００では、外部から養生シート１００内の視認性の向上や、通風性を向上させるには開口部１０３を大きくする必要がある反面、開口部１０３を大きくすると、塵埃等が外部に飛散、落下しやすくなる。また、開口部１０３を小さくすると、塵埃等の飛散、落下を抑制できる反面、視認性や通気性が損なわれ、これらの両立を図ることができなかった。
【０００４】
そこで、本考案は、従来の養生シートよりも、視認性、通風性の向上と、塵埃等の飛散、落下抑制の両立を図ることができる養生シートを提供することを目的とするものである。
【課題を解決するための手段】
【０００５】
前記の課題を解決するために、請求項１記載の考案は、建築工事又は土木工事を行う際に用いる養生シートであって、
経糸と緯糸により織った織物で構成され、その経糸又は緯糸の一方に、その径が、他方の径よりも太いものを用い、前記一方の糸の相互の間隔を他方の糸の相互の間隔よりも広くしたことを特徴とするものである。
【０００６】
請求項２記載の考案は、請求項１記載の考案において、前記他方の糸に撚りをかけたことを特徴とするものである。
【考案の効果】
【０００７】
本考案によれば、経糸又は緯糸の一方に、その径が、他方の径よりも太いものを用い、前記一方の糸の相互の間隔を他方の糸の相互の間隔よりも広くしたことで、前記従来技術の養生シートと比較して、通風性、透光性、外部からの内部の視認性が向上するとともに、塵埃等の飛散、落下を抑制することができる。
【図面の簡単な説明】
【０００８】
【図１】本考案の養生シートを建築現場に張設した状態の斜視図。
【図２】本考案の実施例１に係る養生シートの正面図。
【図３】図２の部分拡大図。
【図４】本考案の実施例３に係る養生シートの部分拡大図。
【図５】従来技術に係る養生シートの部分拡大図。
【考案を実施するための形態】
【０００９】
本考案を実施するための形態を図に基づいて説明する。
【００１０】
［実施例１］
本考案の養生シート１は、建築工事又は土木工事を行う際に、建物等の外側に張設して用い、建築部材、工具、塵埃等が外部に飛散したり落下したりすること等を防止するものであり、例えば、図１に示すように、建築現場の外部足場２の外側に張設して使用し、建築現場等からの建築部材、工具、塵埃等が外部に飛散したり落下することを防止するためのものである。
【００１１】
養生シート１は、図３に示すように、ポリエステル繊維等の合成繊維を、経糸３ａ及び緯糸３ｂとする平織り等で形成された織物からなる基布３を有し、この基布３の表裏を、塩化ビニル等の防炎性を有する樹脂３ｃにより被覆したものである。本実施例では、ポリエステル繊維を、経糸３ａ及び緯糸３ｂとする平織りの基布３を用いた。
なお、防炎性を有する繊維を用いた基布３の場合には、塩化ビニル等の防炎性を有する樹脂により被覆しなくてもよい。  
【００１２】
緯糸３ｂの径は、経糸３ａの径よりも太く設定されている。本実施例では、緯糸３ｂの径を５００デニール、経糸３ａの径を２５０デニールとした。隣接する経糸３ａと３ａ間の距離Ｌ１を、飛散防止したい塵埃等の大きさ（直径）よりも小さく設定するとともに、隣接する緯糸３ｂと３ｂ間の距離Ｌ２を、隣接する経糸３ａと３ａ間の距離Ｌ１よりも広く設定し、開口部５を長方形状に形成した。隣接する経糸３ａと３ａ間の距離Ｌ１は、従来技術の開口部１０３の幅と同じであるが、隣接する緯糸３ｂと３ｂ間の距離Ｌ２を従来技術の開口部１０３の幅よりも大きくすることにより、開口部５の面積を、従来技術の開口部１０３の面積よりも大きくすることができる。本実施例では、Ｌ２を、Ｌ１の約２倍とした。
【００１３】
このように、隣接する緯糸３ｂと３ｂ間の距離Ｌ２を広くしても、緯糸３ｂの径を、経糸３ａの径よりも太く設定したことにより、左右方向（緯糸方向）の強度を保持することができる。また、隣接する緯糸３ｂと３ｂ間の距離Ｌ２を広くしても、隣接する経糸３ａと３ａ間の距離Ｌ１を、飛散防止したい塵埃等の大きさよりも小さく設定することにより、塵埃等が開口部５を通じて外部に落下、飛散することを防止できる。
【００１４】
開口部５の面積を、従来技術の開口部１０３よりも大きくすることができるために、本考案の養生シート１は前記従来の養生シート１００と比較して、通風性や、透光性が向上し、養生シート１内の建築現場等を明るくするとともに、涼しくすることができ、現場環境を改善させることができる。また、外部からの内部の視認性を向上させることができ、防犯効果を高めることができる。また、通風性が向上することで、養生シート１が受ける風からの抵抗を低減させ、強風時に足場が倒壊することを低減できる。
【００１５】
［実施例２］
前記実施例１では、緯糸３ｂの径を、経糸３ａの径よりも太く設定するとともに、隣接する緯糸３ｂと３ｂ間の距離Ｌ２を、隣接する経糸３ａと３ａ間の距離Ｌ１よりも広く設定したが、経糸３ａの径を、緯糸３ｂの径よりも太く設定するとともに、隣接する縦糸３ａと３ａ間の距離Ｌ１を、隣接する緯糸３ｂと３ｂ間の距離Ｌ２よりも広く設定してもよい。
【００１６】
その他の構造は、前記実施例１と同様であるのでその説明を省略する。
【００１７】
本実施例２においても、上記実施例１と同様の作用、効果を奏する。
【００１８】
［実施例３］
図４は、実施例３を示す。
【００１９】
本実施例３の養生シート１１は、図４に示すように、経糸３ａ又は緯糸３ｂにおいて、径が細い方の糸を、これに撚りをかけてより一層細くするとともに、その強度を増すようにしたものである。
【００２０】
その他の構造は、前記実施例１，２と同様であるのでその説明を省略する。
【００２１】
本実施例３においても、上記実施例１と同様の作用、効果を奏する。
【００２２】
本実施例３の養生シート１１は、更に、前記実施例１の養生シート１よりも、通風性、透光性、外部からの内部の視認性が向上する。
【符号の説明】
【００２３】
１，１１  養生シート
３  基布
３ａ  経糸
３ｂ  緯糸
【図１】
0003197400.tif 000003
【図２】
0003197400.tif 000004
【図３】
0003197400.tif 000005
【図４】
0003197400.tif 000006
【図５】
0003197400.tif 000007